(57)【要約】      （修正有）【課題】チャイルドシートに乗せらた幼児が、つかまり棒に喜んでつかまり、その幼児の手が冷たい風に当たらないようにして保温すると共に減速したときに、幼児が前のめりになってつかまり棒で身体が圧迫されるのを防止した自転車のチャイルドシート用の両手保温兼圧迫緩衝用具を提供する。【解決手段】両手保温兼圧迫緩衝用具Ａは、表布と裏布との間に保温兼緩衝材２を内蔵させて三方が閉じられ一方を開口させて両手の差入れ口１０とした袋体になり、この袋体の一表面に一端を固着した取付けベルト３の先端を自由端とし、この自由端を袋体の表面に係着自在にしてつかまり棒の挿通輪を設け、袋体は両手の差入れ口が自転車の進行と反対方向に開口するように且つつかまり棒を軸として回転するように取付けて袋体の内側からつかまり棒を握れるようにする。また、袋体の内部にカイロを収めるポケットが設けられる。【選択図】図２
0003113008.tif 000002
【実用新案登録請求の範囲】
【請求項１】
表布と裏布との間に保温兼緩衝材を内蔵させて三方が閉じられ一方を開口させて両手の差入れ口とした袋体になり、この袋体の一表面に一端を固着した取付けベルトの先端を自由端としてこの自由端を袋体の表面に係着自在にしたつかまり棒の挿通輪を設け、前記袋体を両手の差入れ口が自転車の進行と反対方向に開口するように、かつ、前記つかまり棒を軸として回転するように取付け、前記袋体の内側から前記つかまり棒を握れるようにしたことを特徴とする自転車のチャイルドシート用の両手保温兼圧迫緩衝用具。
【請求項２】
前記袋体の内部にカイロを収めるポケットが設けらてなる請求項１記載の自転車のチャイルドシート用の両手保温兼圧迫緩衝用具。
【考案の詳細な説明】
【技術分野】
【０００１】
本考案は、自転車のチャイルドシートに乗せられて、チャイルドシートのつかまり棒につかまっている幼児の手を保温すると共に減速したときに、幼児の身体が前のめりになってつかまり棒に強く押し当たって圧迫されるのを防止する自転車のチャイルドシート用の両手保温兼圧迫緩衝用具に関するものである。
【背景技術】
【０００２】
自転車用チャイルドシートには、自転車のハンドル部又は後部荷台に固定する種々形式のものがあるが、この種従来の自転車のハンドル部に固定する形式の一つに、図５に示すチャイルドシート（イ）が開示されている。このチャイルドシート（イ）は、幼児を乗せるための本体部（ロ）と幼児の足を乗せる足乗せ部（ハ）を備え、前記本体部（イ）は上面を開放する四角函状に形成されていて、底面が座部（ニ）となり、後壁が背もたれ（ホ）となり、前記本体部（イ）の前面の下半分が切欠けられて前記足乗せ部（ハ）に連通する足出し孔（ヘ）が設けられて形成されている。そして、前記本体部（イ）の前方上部には、本体部（イ）に乗せられた幼児がその身体を支えるために、丸棒状のつかまり棒（ト）が自転車の進行方向に対して直角に渡してその両端を本体部（（ロ）に取付けられている。
【特許文献１】特許公開２００４−１６８２２６公報。
【考案の開示】
【考案が解決しようとする課題】
【０００３】
チャイルドシート（イ）に備えるつかまり棒（ト）は、一般には，合成樹脂又は木製の硬質材でできていて、冬季にこのつかまり棒（ト）を素手でつかまっても、冷たいと云う感覚は少ないものの、走行中に冷たい向かい風を受けて、幼児の手が凍えるのが避けられない。そこで、手袋の使用を促してみても、幼児は物をつかむときに手袋を使用するのを嫌う傾向がある。
【０００４】
このような訳で、自転車のチャイルドシートに乗せられている幼児は、常に、つかまり棒につかまっているとは限らないから、もし、つかまり棒を握っていないときに自転車が転倒したり急ブレーキをかけたりするとはなはだ危険である。
また、つかまり棒は剥き出しになって自転車の進行方向に対して直角に渡してあるので、急ブレーキをかけた際に、チャイルドシートに乗せられている幼児の身体が前のめりして身体をつかまり棒に当てて圧迫を受ける等の危険がある。
【０００５】
本考案は、上記の点に鑑みてなされたものであって、その目的とするところは、幼児が嫌わずにつかまり棒につかまるようにすると共に走行中につかまり棒を握っている手に冷たい風があたらないようにし、また、走行中に急ブレーキをかけた際に、前のめりになって幼児がつかまり棒で圧迫されないようにした自転車のチャイルドシート用の両手の保温兼圧迫緩衝用具を得ることにある。
【課題を解決するための手段】
【０００６】
上記目的を達成するために、請求項１に記載の本考案の自転車のチャイルドシート用の両手の保温兼圧迫緩衝用具は、表布と裏布との間に保温兼緩衝材を内蔵させて三方が閉じられ一方を開口させて両手の差入れ口とした袋体になり、この袋体の一表面に一端を固着した取付けベルトの先端を自由端としてこの自由端を袋体の表面に係着自在にしたつかまり棒の挿通輪を設け、前記袋体を両手の差入れ口が自転車の進行と反対方向に開口するように、かつ、前記つかまり棒を軸として回転するように取付け、前記袋体の内側から前記つかまり棒を握れるようにする。
【０００７】
また、請求項２の本考案の両手保温兼圧迫緩衝用具は、袋体の内部にカイロを収めるポケットが設けらてなる。
【考案の効果】
【０００８】
上記構成になる本考案の幼児の両手保温兼圧迫緩衝用具は、つかまり棒につかまっている幼児の手を冷たい風にさらすことがないばかりでなく保温効果があるので、幼児の手を凍えさせることがないし、緩衝効果があるので、停止するときや急ブレーキをかけたときに、前のめりになった幼児の身体がつかまり棒に強く押し当てられることがあっても柔らかく受け止めて強い圧迫から幼児の身体を保護することができる。
【０００９】
また、本考案の幼児の両手保温兼圧迫緩衝用具は、つかまり棒に回動自在に取付けられるので、幼児がつかまり棒を握っているときは、幼児の両腕を束縛することが無いので、幼児が窮屈を感じて嫌うようなこともない。
【００１０】
しかも、本考案の両手保温兼圧迫緩衝用具を取付けたチャイルドシートに幼児を乗せると、一旦、幼児が覚えると、袋体の中に自ら好んで両手を入れてつかまり棒を握るようになるのは、多くの幼児で実証されている。
【００１１】
更に、本考案の保温兼圧迫緩衝用具は、つかまり棒から容易に取り外しができるので、チャイルドシートから外して洗濯ができるし、雨で濡れても、強制的に乾燥させることができる等の効果を奏する。
【００１２】
なお更に、請求項２の両手保温兼圧迫緩衝用具は、カイロにより常に暖められているので、冬の寒い時には、幼児は喜んで両手を積極的に差し入れるし、カイロの存在がつかまり棒をつかむときに邪魔にならないし、また、圧迫緩衝性能を損なうこともない。そして、カイロは収納自在であるので、洗濯の折は、袋体から取り出せば洗濯の邪魔になることもないし、雨で濡れてもカイロを取り出して強制乾燥することができる。
【考案を実施するための最良の形態】
【００１３】
以下図面に基いて本考案の実施の形態を説明する。
図１は本考案の両手の保温兼圧迫緩衝用具の斜視図、図２はその縦断面図、図３はチャイルドシートのつかまり棒に設置した使用状態図であり、本考案の両手の保温兼圧迫緩衝用具Aは、幼児の両手を包む袋体１と、この袋体１に内蔵された保温兼圧迫緩衝材２を備えてなり、袋体１の一面には取付けベルト３を有して構成する。
【００１４】
前記袋体１は、布地を二つ折りにした表布４と裏布５とを重ね合わせて表布４と裏布５の両側辺を糸６により逢着して、底辺７、左右側辺８と９の三辺を閉じると共に残りの上辺を開放して、幼児の両手を袋体１の中に差し込むための差入れ口１０として形成する。
【００１５】
前記保温兼圧迫緩衝材２は、繊維又は発泡スチロールのような保温機能と圧迫力緩衝機能を備えさせる材料からなり、袋体１の表布４と裏布５の間に収納される。
図２において、前記保温兼圧迫緩衝材２は、袋体１の内部の上下全域に渡るように収納して示している。袋体１の内部に部分的に収めた場合、保温効果は十分得られるとしても、圧迫緩衝性能が不完全になるので、圧迫緩衝性能を完全に機能させるためには、保温兼圧迫緩衝材２を袋体１の内部の全域に渡るように収納するのが好ましい。
【００１６】
前記取付けベルト３は、表布４又は裏布５の一方の面、例えば、裏布５の表面の略中段位置に設置され、この取付けベルト３は、一端を裏布５に逢着１１により一体に固着すると共に他端を自由端として、この自由端にベルベットファスナー１２ａを設けると共に裏布５には、取付けベルト３に設けたベルベットファスナー１２ａと係着自在にするベルベットファスナー１２ｂを固着設置し、取付けベルト３のベルベットファスナー１２ａを裏布５のベルベットファスナー１２ｂに止着したときに、取付けベルト３は、図３に示す後述のチャイルドシート１３に備えるつかまり棒１７に両手保温兼圧迫緩衝用材Aを装着できるようにする。
前記取付けベルト３は互いのベルベットファスナー１２ａと１２ｂを係着したときに、取付けベルト３が輪状を呈して、両手保温兼圧迫緩衝用材Aがつかまり棒１７に回動自在となるように挿着できるようにする。
なお、取付けベルト３の自由端の止着具としてベルベットファスナー１２ａ，１２ｂを設けたが、ベルベットファスナーに限定するものではなく、例えば、ホック等の適宜止着具を選択採用できることは勿論である。
【００１７】
図３は、自転車のハンドル部に固定するチャイルドシートの一例を示すものであって、このチャイルドシート１３は、幼児を乗せるための本体部１４を備え、この本体部１４は上面を開放する四角函状に形成されていて、底面が座部１５となり、後壁が背もたれ１６となり、前記本体部１４の前方上部には、本体部１４に乗せられた幼児がその身体を支えるために、丸棒状のつかまり棒１７が自転車の進行方向に対して直角に渡して取付けられている。
尚、チャイルドシートは、つかまり棒１７を備えているものであれば、図３に示す形状のものに限定するものではない。
【００１８】
上記のように構成された両手保温兼圧迫緩衝用材Aは、図３に示すように、チャイルドシート１３の本体部１４の前方上部に設けられている丸棒状のつかまり棒１７に、両手の差入れ口１０が自転車の進行方向と反対する方向へ開口するように位置させ、そして取付けベルト３のベルべットファスナー１２ａを裏布５に備えるベルベットファスナー１２ｂに止着させて取付ける。
【００１９】
このようにしてつかまり棒１７に取付けた両手保温兼圧迫緩衝用具Aは、つかまり棒１７を軸として回動する。そして、幼児がチャイルドシート１３に着座したときは、差入れ口１０から両手を差し込んで袋体１の内側からつかまり棒１７を握るようになる。
【００２０】
図４は、本考案の他の実施例を示すもので、前述の袋体１の取付けベルト３を備えた裏布５と反対面、即ち、表布４の上半部の内面にカイロ１８を収めるポケット１９が設けらてあり、このポケット１９にカイロ１８を収納したときに、両手保温兼圧迫緩衝用具Aを暖めて、常に暖気が得られるように形成される。
【図面の簡単な説明】
【００２１】
【図１】本考案の両手保温兼圧迫緩衝用具の斜視図である。
【図２】本考案の両手保温兼圧迫緩衝用具の断面図である。
【図３】本考案の両手保温兼圧迫緩衝用具をチャイルドシートのつかまり棒に設置した使用状態図である。
【図４】本考案の他の実施例に係る両手保温兼圧迫緩衝用具の断面図である。
【図５】自転車のハンドル部に固定する形式のチャイルドシートを参考例として示す斜視図である。
【符号の説明】
【００２２】
A      両手保温兼圧迫緩衝用具
１      袋体
２      保温兼圧迫緩衝材
３      取付けベルト
４      表布
５      裏布
６      糸
７      底辺
８      左辺
９      右辺
１０    両手差入れ口
１１    縫着
１２ａ，１２ｂ    ベルベットファスナー
１３    チャイルドシート
１４    本体部
１５    座部
１６    背もたれ
１７    つかまり棒
１８    カイロ
１９    ポケット
【図１】
0003113008.tif 000003
【図２】
0003113008.tif 000004
【図３】
0003113008.tif 000005
【図４】
0003113008.tif 000006
【図５】
0003113008.tif 000007